(57)【要約】【課題】表示装置における発光層からの光を、平坦化膜、層間絶縁膜、トランジスタのゲート絶縁膜等の絶縁膜を介して取り出す際、光が各絶縁膜を通過する毎に、その絶縁膜の表面の微妙な凹凸により、乱反射が起こる。これにより、不要光が発生し、画素の輪郭が不明瞭となったり、トランジスタの特性が劣化する等の問題が生じていた。【解決手段】本発明に係る表示装置は、基板上に設けられたトランジスタと、前記トランジスタ上に設けられた遮光性を有する絶縁膜と、前記遮光性を有する絶縁膜上に設けられた発光素子とを有し、前記遮光性を有する絶縁膜には、前記発光素子からの光を通過させる開口部が設けられていることを特徴とする。【選択図】図１
2014026290.tif 000002
【特許請求の範囲】
【請求項１】
基板上に設けられたトランジスタと、
前記トランジスタ上に設けられた遮光性を有する絶縁膜と、
前記遮光性を有する絶縁膜上に設けられた発光素子とを有し、
前記遮光性を有する絶縁膜には、前記発光素子からの光を通過させる開口部が設けられていることを特徴とする表示装置。
【発明の詳細な説明】
【技術分野】
【０００１】
本発明は、発光素子を有する表示装置に関する。
【背景技術】
【０００２】
近年、ＥＬ（Ｅｌｅｃｔｒｏ  Ｌｕｍｉｎｅｓｃｅｎｃｅ）素子（特に、有機ＥＬ素子）
を代表とする発光素子を有する表示装置の開発が進められ、自発光型ゆえの高画質、広視
野角、薄型、軽量等の利点を活かして、幅広い利用が期待されている。この発光素子は、
基板上に陽極、電界発光層、陰極が積層された構成を有しており、例えば、基板側に陽極
がある場合、陽極を透明にし、発光層からの光を基板側へ放射させる、所謂ボトムエミッ
ション型の表示装置が知られている（特許文献１参照）。
【先行技術文献】
【特許文献】
【０００３】
【特許文献１】特開２００３−２４８４４０号公報
【発明の概要】
【発明が解決しようとする課題】
【０００４】
発光層からの光を基板側へ取り出す場合、特許文献１にも示されているように、平坦化膜
、層間絶縁膜、トランジスタのゲート絶縁膜等の絶縁膜を光が透過して、最終的に基板の
外側へ光が取り出される。この際、光が各絶縁膜を通過する毎に、その絶縁膜の表面の微
妙な凹凸により、乱反射が起こり、光の出射方向が変化する。これにより、迷光が発生し
、１画素に相当する発光領域から非発光領域に対して光漏れが起こることにより１画素に
相当する発光領域の輪郭が不明瞭となったり、トランジスタの活性層（半導体層）に光が
漏れることにより、トランジスタの特性が劣化する等の問題が生じていた。
【０００５】
また、上記問題点は、ボトムエミッション（下面出射）型表示装置のみならず、発光層の
上下両面から光を取り出す、所謂デュアルエミッション（両面出射）型表示装置について
も言えることである。
【０００６】
上記問題点に対し、本発明は、発光層から出射される光のうち迷光を吸収し、迷光による
弊害、例えば、１画素に相当する発光領域の輪郭がぼやけたりする弊害を抑制することに
より、高精細な画像を表示することができる表示装置を提供することを目的とする。
【課題を解決するための手段】
【０００７】
本発明に係る表示装置の一は、基板上に設けられたトランジスタと、トランジスタ上に設
けられた遮光性を有する絶縁膜と、遮光性を有する絶縁膜に設けられた光を通過させるた
めの開口部と、開口部の上方に設けられた発光素子を有することを特徴とする。
【０００８】
また、本発明に係る表示装置の一は、基板上に設けられたトランジスタと、前記トラン
ジスタ上に設けられた遮光性を有する絶縁膜と、前記遮光性を有する絶縁膜上に設けられ
た発光素子とを有し、前記遮光性を有する絶縁膜には、前記発光素子からの光を通過させ
る開口部が設けられていることを特徴とする。
【０００９】
すなわち、発光層からの迷光の発生を防止するために、トランジスタ及び発光素子等が形
成される基板上に遮光性の絶縁膜を設け、さらに、遮光性の絶縁膜に開口部を設けること
によって、発光素子からの光を出射させる経路を確保する。
【００１０】
この遮光性の絶縁膜に設けられた開口部には、透光性を有する絶縁膜を形成しさらに、発
光素子を形成しても良いし、開口部の内側に直に発光素子を形成しても良い。また、発光
素子の最も基本的な構造は、電界発光層が、画素電極及び対向電極によって挟持されてい
る構造である。ここで、トランジスタに接続されるのが画素電極であり、発光層からの光
は、トランジスタ側すなわち画素電極側に出射されるのであるから、画素電極は透光性を
有していることを特徴としている。上記手段により、ボトムエミッション型表示装置にお
いて、発光層からの迷光の発生を防止することができる。
【００１１】
また、遮光性を有する絶縁膜は、トランジスタを覆うように形成しても良い。また、基板
上に設けられたトランジスタ上に、バリア層として機能する有機材料又は無機材料を単層
又は積層構造により形成しても良い。これらの手段により、発光素子のスイッチング又は
電流の供給等を行うためのトランジスタの特性の劣化を防止することができる。
【００１２】
また、本発明に係る表示装置の一は、基板上に設けられたトランジスタと、トランジスタ
上に設けられた遮光性を有する絶縁膜と、遮光性を有する絶縁膜に設けられた光を通過さ
せるための開口部と、開口部の上方に設けられた、透光性を有する画素電極、電界発光層
及び透光性を有する対向電極からなる発光素子と、画素電極、電界発光層及び対向電極の
うち少なくとも一つに接して設けられた、遮光性を有する膜を含む隔壁層を有する。
【００１３】
すなわち、デュアルエミッション型表示装置において、発光層からの迷光を防止するため
に、下面出射方向には、トランジスタ及び発光素子等が形成される基板上に遮光性の絶縁
膜を設け、さらに、遮光性の絶縁膜に開口部を設けることによって、光を出射させる経路
を確保する。一方、上面出射方向には、遮光性を有する膜を含む隔壁層を選択的に設け、
少なくとも該隔壁層が設けられていない領域に発光素子を形成する。該隔壁層は、上面出
射（トップエミッション）における発光層からの迷光を防止する機能を有する。なお、該
隔壁層は、遮光性を有する膜のみからなる構成、他に透光性を有する膜を含む構成のいず
れをも採用できる。そして、この構造はデュアルエミッション型のみならず、トップエミ
ッション型の表示装置に適用することも勿論可能である。
【００１４】
この遮光性の絶縁膜に設けられた開口部には、透光性を有する絶縁膜を形成しさらに、発
光素子を形成しても良いし、開口部の内側に直に発光素子を形成しても良い。また、発光
素子の最も基本的な構造は、電界発光層が、画素電極及び対向電極によって挟持されてい
る構造である。ここで、発光層からの光は、画素電極及び対向電極両側に出射されるので
あるから、画素電極及び対向電極は透光性を有していることを特徴としている。上記手段
により、デュアルエミッション型表示装置において、発光層からの迷光を防止することが
できる。
【００１５】
また、遮光性を有する絶縁膜は、トランジスタを覆うように形成しても良い。また、基板
上に設けられたトランジスタ上に、バリア層として機能する有機材料又は無機材料を単層
又は積層構造により形成しても良い。これらの手段により、発光素子のスイッチング又は
電流の供給等を行うためのトランジスタの特性の劣化を防止することができる。
【００１６】
また、本発明に係る表示装置の一は、基板上に設けられたトランジスタと、前記トランジ
スタ上に設けられた遮光性を有する第１の絶縁膜と、前記第１の絶縁膜上に設けられた、
透光性を有する画素電極、電界発光層及び透光性を有する対向電極からなる発光素子と、
前記画素電極、電界発光層及び対向電極のうち少なくとも一つに接して設けられた、遮光
性を有する膜を含む隔壁層とを有し、前記第１の絶縁膜には、前記発光素子からの光を通
過させる開口部が設けられており、前記開口部に顔料を含み透光性を有する第２の絶縁膜
が設けられていることを特徴とする。また、前記顔料は、赤、緑、又は青色を呈すること
を特徴とする。
【発明の効果】
【００１７】
本発明は、光が出射される方向に、遮光性を有する絶縁膜又は遮光性を有する隔壁層を設
け、それらに光が通過するための開口部を設けることにより、発光層からの迷光を吸収、
遮断し、迷光によって１画素に相当する発光領域の輪郭がぼやけたりするという影響を抑
制することができる。つまり、遮光性を有する絶縁膜又は隔壁層が迷光を吸収するために
、１画素に相当する発光領域の輪郭が明瞭なものとなり、高精細な画像を表示することが
できる。また、遮光膜の配置により迷光による影響を抑制することができ、小型化、軽量
化、薄型化が実現される。なお、ボトムエミッション型の場合には、上記隔壁層は、必ず
しも遮光性を有している必要はない。
【００１８】
また、遮光性を有する絶縁膜を、トランジスタを覆うように形成する場合には、発光層か
らの光漏れによるトランジスタの特性の劣化を防止することができる。また、基板上に設
けられたトランジスタ上に、バリア層として機能する有機材料又は無機材料を単層又は積
層構造により形成する場合には、トランジスタの上部からの不純物の混入を阻止すること
ができ、やはりトランジスタの特性の劣化を防止することができる。
【図面の簡単な説明】
【００１９】
【図１】本発明に係るボトムエミッション型表示装置の構成を説明する図
【図２】本発明に係るデュアルエミッション型表示装置の構成を説明する図
【図３】本発明に係る表示装置の画素領域の等価回路図及び断面図
【図４】本発明に係る表示装置の画素領域の上面図
【図５】本発明に係る表示装置の画素領域の上面図（隔壁層のレイアウト図）
【図６】本発明に係る表示装置の画素領域の等価回路図
【図７】本発明に係る表示装置の上面図及び断面図
【図８】本発明に係る表示装置を用いた電子機器を示す図
【図９】本発明に係る表示装置を用いたＩＤカードを説明する図
【図１０】本発明に係る表示装置を用いたＩＤカードの構成を示すブロック図
【図１１】本発明に係るデュアルエミッション型表示装置の構成を説明する図
【図１２】本発明に係る表示装置の構成を説明する図（カラーフィルタ有り）
【図１３】本発明に係る表示装置の構成を説明する図（ＦＰＣの配置）
【図１４】ソース／ドレイン配線、接続配線を積層構造とした場合の模式図
【発明を実施するための形態】
【００２０】
本発明の実施の形態について、図面を用いて詳細に説明する。但し、本発明は以下の説明
に限定されず、本発明の趣旨及びその範囲から逸脱することなくその形態及び詳細を様々
に変更することができる。従って、本発明は以下に示す実施の形態及び実施例の記載内容
に限定して解釈されるものではない。例えば、以下に述べる各実施の形態及び各実施例の
特徴的部分を組み合わせて実施することが可能である。なお、以下に説明する本発明の構
成において、同じものを指す符号は異なる図面間で共通して用いる。
（実施の形態１）
【００２１】
本発明に係る下面出射（ボトムエミッション）型表示装置の断面構造について、４つの場
合に大別して、図面を参照して説明する。なお、以下に記載する本実施の形態において、
トランジスタ上に設けられ、主にバリア機能を有する第１の絶縁膜１２は、できるだけ形
成するのが望ましいが、省略することも可能である。このように、本発明の構成において
、第１の絶縁膜１２を省略する場合には、以下に述べる「第２の絶縁膜１３」、「第３の
絶縁膜１４」は、適宜、「第１の絶縁膜１３」、「第２の絶縁膜１４」と読み替えるもの
とする。
【００２２】
第１の構成の表示装置は、基板１０上に設けられたソース／ドレイン領域１５、１６を有
するトランジスタ１１と、トランジスタ１１上に設けられた第１の絶縁膜１２と、第１の
絶縁膜１２上に設けられた遮光性を有する第２の絶縁膜１３と、第２の絶縁膜１３に設け
られた光を通過させるための第１の開口部と、第２の絶縁膜１３に接して設けられた第３
の絶縁膜１４と、第３の絶縁膜１４上に設けられた発光素子を有する（図１（Ａ）参照）
。
【００２３】
基板１０は、ガラスや石英、プラスチック等からなる絶縁表面を有する基板である。トラ
ンジスタ１１は、代表的には、電界効果型のトランジスタであり、ゲート電極、ソース電
極、ドレイン電極の３つの端子を有する。電界効果型のトランジスタとして、例えば、Ｔ
ＦＴ（薄膜トランジスタ）を用いる。トランジスタ１１の導電型に制約はなく、Ｐチャネ
ル型とＮチャネル型のどちらのタイプを用いてもよい。なお、ソース電極とドレイン電極
は、その電極の電位に従って定められるものであるため、以下には、ソース電極又はドレ
イン電極のことをソースドレイン電極と表記する。
【００２４】
第１の絶縁膜１２は、酸化珪素膜、窒化珪素膜、窒素を含む酸化珪素膜（ＳｉＯxＮy膜）
（ｘ＞ｙ）（ｘ、ｙは正の整数）、酸素を含む窒化珪素膜（ＳｉＮxＯy膜）（ｘ＞ｙ）（
ｘ、ｙは正の整数）などの無機材料からなる。第１の絶縁膜１２は、バリア膜としての機
能もあり、トランジスタ１１に対する不純物の侵入を防止する。第１の絶縁膜１２は、で
きるだけ形成するのが望ましい。
また、第２の絶縁膜１３は、有機材料を主成分として構成され、遮光性を有している。
第２の絶縁膜１３に用いる遮光性を有する膜は、振とう機や超音波振動器等を用いて、ア
クリル、ポリイミドなどの有機樹脂材料やシロキサンなどの有機材料に、カーボンや、遮
光性を有する金属の粒子を添加して撹拌した後、必要に応じて濾過を行い、その後、スピ
ンコート法で形成する。なお、本明細書においてシロキサンは、シリコンと酸素との結合
で骨格構造が構成され、置換基として、少なくとも水素を含む有機基（例えばアルキル基
や芳香族炭化水素など）を有する。また、置換基としてさらにフルオロ基を有していても
よい。また、有機材料にカーボンや金属粒子を添加する際は、均一に混合されるように、
界面活性剤や分散剤などを添加してもよい。また、カーボンを添加する際は、カーボン粒
子の濃度が重量パーセントで５〜１５％となるように、その添加量を調節するとよい。ま
た、スピンコート法で形成した後の薄膜をそのまま用いてもよいが、硬化を目的とした焼
成を行ってもよい。成膜された薄膜の透過率と反射率は、共に０％、又はほぼ０％に近い
値となる。
【００２５】
ここで、遮光性を有する第２の絶縁膜１３には、後に形成される電界発光層２０から発光
される光を通すために、第１の開口部が設けられている。この第１の開口部は、レジスト
等を用いて、第２の絶縁膜１３をエッチングすることによって形成することができる。ま
たは、インクジェット法などの液滴吐出法によって、第２の絶縁膜１３を選択的に形成す
ることによって、第１の開口部を形成しても良い。さらに、その第１の開口部を埋めるよ
うに、第２の絶縁膜１３上に第３の絶縁膜１４が形成されている。なお、第３の絶縁膜１
４としては、透光性を有する材料からなる。例えば、ポリイミド、アクリル、ポリアミド
等の感光性又は非感光性の有機材料や、シロキサン等の耐熱性有機樹脂を用いることがで
きる。なお、第２の絶縁膜１３と第３の絶縁膜１４は、いずれも有機樹脂を主成分として
構成されるが、その材質は、同じでも異なっていても良い。また、これらの材質は、上記
に限定されるものではない。
【００２６】
第３の絶縁膜１４は、少なくとも、第２の絶縁膜１３に設けられた第１の開口部を埋める
役割をすればよく、第２の絶縁膜１３上の全面に形成されている必要はない。図示する構
成では、第２の絶縁膜１３上の全面に、第３の絶縁膜１４を形成した。このように、第２
の絶縁膜１３上の全面に第３の絶縁膜１４を形成する場合には、第３の絶縁膜１４は、カ
ーボン粒子等を含む第２の絶縁膜１３よりも絶縁性に優れるため、トランジスタ１１から
供給される電流が、画素電極１９以外にリークすることを防止することができる。
なお、第１の開口部のみに第３の絶縁膜１４を形成する場合には、第２及び第３の絶縁膜
によって形成される絶縁膜の表面が平坦性を有するように、別途平坦化処理を行っても良
い。
【００２７】
なお、上記の構成では３層の絶縁膜の積層膜が設けられているが、本発明はこの構成に制
約されない。２層の積層膜を設けてもよいし、４層以上の積層膜を設けてもよい。但し、
積層膜のうちの１層は、無機材料からなるバリア膜とし、１層は開口部を有する有機材料
からなる遮光性を有する膜とする。そして、バリア膜は、トランジスタ１１に接するよう
に設ける。
【００２８】
このように、遮光性を有する絶縁膜（図１（Ａ）では、第２の絶縁膜１３）が設けられて
いることにより、電界発光層２０から発光される光のうち、迷光となる光が遮断され、外
部に均一な光が供給される。また、第２の絶縁膜１３は、トランジスタ１１を完全に覆う
ように形成されるのが望ましい。これによって、トランジスタ１１の半導体層への光のリ
ークを防止することができ、光によるトランジスタの特性の劣化を防止することができる
。
【００２９】
第１乃至第３の絶縁膜及びトランジスタのゲート絶縁膜には、第２の開口部が設けられ、
ソース／ドレイン配線１７、１８が形成される。これにより、トランジスタ１１と、画素
電極１９とが接続される。ソース／ドレイン配線１７、１８は、アルミニウム及び炭素を
含む合金を用いるのが望ましい。また、この合金に、ニッケル、コバルト、鉄、珪素等を
含有させても良い。これらの含有率は、例えば、炭素を０．１〜３．０原子％、ニッケル
、コバルト、鉄のうち少なくとも一種以上の元素を０．５〜７．０原子％、珪素を０．５
〜２．０原子％とするのがよい。この材料は、電気抵抗値が３．０〜５．０Ωｃｍと低い
のが、特徴の一つである。
【００３０】
ここで、アルミニウム（以下、「Ａｌ」と称する。）をソース／ドレイン配線として用い
た場合、画素電極であるＩＴＯとＡｌが接触して、Ａｌの腐食が発生してしまうという問
題がある。ただし、このような場合であっても、Ａｌ（又はＡｌ−Ｓｉ合金）をチタン（
以下、「Ｔｉ」と称する。）又は窒化チタン（ＴｉＮ）で挟んだ積層構造をすることによ
り、ＩＴＯとの良好なコンタクトを獲得することができる。例えば、基板側からＴｉ、Ａ
ｌ、Ｔｉの順に積層する構造とすればよい。これに対し、Ａｌ−Ｃ合金又はＡｌ−Ｃ−Ｎ
ｉ合金等は、その酸化還元電位がＩＴＯ等の透明導電膜のそれと非常に近似しているため
、積層構造としなくとも（Ｔｉ又は窒化チタン等で挟持しなくとも）ＩＴＯ等とのダイレ
クトコンタクトが可能である。ソース／ドレイン配線１７、１８は、上記合金からなるタ
ーゲット材を用い、スパッタリング法を用いて形成することができる。また、上記合金に
対し、レジストをマスクとしてエッチングを行う際には、ウエットエッチングによって行
うのがよい。この場合、エッチャントとしては、酢酸、硝酸、燐酸、及び水を含む混酸、
またはアルカリ現像液等を用いることができる。
【００３１】
また、ソース／ドレイン配線１７、１８は、画素電極１９の上方、又は画素電極１９と同
じ層に設けられる。図示する構成では、ソース／ドレイン配線１７、１８は、画素電極１
９の上方に乗り上げるように設けられている。すなわち、画素電極１９を形成した後に、
ソース／ドレイン配線１７、１８が形成されている。なお、トランジスタ１１のソース電
極に接続する配線がソース配線であり、トランジスタ１１のドレイン電極に接続する配線
がドレイン配線であるが、上記の通り、トランジスタ１１のソース電極とドレイン電極は
、その電極の電位の関係により定められるものであるため、ここでは、ソース配線又はド
レイン配線のことをソース／ドレイン配線と表記する。
【００３２】
また、上記構成の表示装置は、画素電極１９の端部を囲む隔壁層２３（土手やバンクとも
呼ばれる）と、画素電極１９に接するように設けられた電界発光層２０と、電界発光層２
０に接するように設けられた対向電極２１を有する。ここで、画素電極１９は、透光性を
有する材料を用いる。例えば、酸化インジウムスズ（ＩＴＯ：Ｉｎｄｉｕｍ  Ｔｉｎ  Ｏ
ｘｉｄｅ）、ＩＴＯに酸化珪素を含有させたＩＴＳＯ、酸化亜鉛（ＺｎＯ：Ｚｉｎｃ  Ｏ
ｘｉｄｅ）、ガリウムを添加した酸化亜鉛（ＧＺＯ）、酸化インジウムに２〜２０ｗｔ％
の酸化亜鉛を混合したターゲットを用いて形成された酸化インジウム亜鉛（ＩＺＯ：Ｉｎ
ｄｉｕｍ  Ｚｉｎｃ  Ｏｘｉｄｅ）等を用いることができる。
なお、画素電極１９と、電界発光層２０との間に、珪素、酸化珪素、窒化珪素等のバリア
層を挟持させてもよい。これにより、発光効率が上昇する。一方、対向電極２１は、反射
性を有し、仕事関数の小さい材料を用いるのがよい。例えば、Ｃａ、Ａｌ、ＣａＦ、Ｍｇ
Ａｇ、ＡｌＬｉ等を用いることができる。
【００３３】
なお、隔壁層２３の側面形状については特に制限はないが、望ましくは、図１等に示すよ
うに、Ｓ字状を有しているのがよい。換言すれば隔壁層２３の側面において、変曲点を有
するような構造とするのが望ましい。これにより、電界発光層２０及び対向電極２１のカ
バレッジを向上させることができる。
【００３４】
なお、発光素子２２は、単数の層で構成しても良いし、複数の層を積層させて構成しても
良い。複数の層で構成する場合、トランジスタ側（画素電極側）から見て順に、（１）陽
極、ホール（正孔）注入層、ホール輸送層、発光層、電子輸送層、陰極、（２）陽極、ホ
ール注入層、発光層、電子輸送層、陰極、（３）陽極、ホール注入層、ホール輸送層、発
光層、電子輸送層、電子注入層、陰極、（４）陽極、ホール注入層、ホール輸送層、発光
層、ホールブロッキング層、電子輸送層、陰極、（５）陽極、ホール注入層、ホール輸送
層、発光層、ホールブロッキング層、電子輸送層、電子注入層、陰極等の素子構造とすれ
ばよい。これは、所謂順積みと呼ばれる構造で、画素電極１９は陽極（正孔注入電極とも
いう）として機能する。
一方、トランジスタ側（画素電極側）から見て、陰極が先に来る場合には、逆積みと呼
ばれ、画素電極１９は陰極（電子注入電極ともいう）として機能する。
【００３５】
発光素子２２は、画素電極１９、電界発光層２０及び対向電極２１の積層体に相当し、図
示する発光素子２２の構造は、陽極として機能する画素電極１９、電界発光層２０、陰極
として機能する対向電極２１が順に積層された、順積み構造を採用している。この場合、
発光素子２２から出射される光は、陽極として機能する画素電極１９側に出射し、透光性
を有する画素電極１９を透過して、矢印で示すように基板１０の方向に出射する。つまり
、下面出射（ボトムエミッション）が行われる。
【００３６】
第２の構成の表示装置は、基板１０上に設けられたトランジスタ１１と、トランジスタ１
１上に設けられた第１の絶縁膜１２と、第１の絶縁膜１２上に設けられた遮光性を有する
第２の絶縁膜１３と、第２の絶縁膜１３に設けられた光を通過させるための第１の開口部
と、第２の絶縁膜１３に接して設けられた第３の絶縁膜１４と、第３の絶縁膜１４上に設
けられた発光素子２２を有する（図１（Ｂ）参照）。
【００３７】
構成の概要は、第１の構成の表示装置とほぼ同じであり、同様の材料を用いて構成するこ
とができる。ただし、画素電極１９がソース／ドレイン配線１８の上側に形成される点で
異なる。すなわち、ソース／ドレイン配線１７、１８を形成した後に、画素電極１９が形
成されている。
【００３８】
また、第２の絶縁膜１３に、電界発光層２０からの光を通過させるための第１の開口部を
形成した後に、さらに、第２の絶縁膜１３をエッチングする際のレジスト等又は残存する
第２の絶縁膜１３をマスクとして、トランジスタ１１のゲート絶縁膜２８及び下地絶縁膜
２７をエッチングしてもよい。これにより、より明るい光を電界発光層２０から取り出す
ことができる。なお、第２の絶縁膜１３、ゲート絶縁膜２８、下地絶縁膜２７のエッチン
グは、同一工程によって行っても良いし、別工程で行っても良い。エッチング用ガスとし
ては、Ｃｌ2、ＢＣｌ3、ＳｉＣｌ4もしくはＣＣｌ4などを代表とする塩素系ガス、ＣＦ4
、ＳＦ6、ＮＦ3、ＣＨＦ3などを代表とするフッ素系ガス、あるいはＯ2を用いることがで
きるが、これらに限定されるものではない。なお、該エッチングは、大気圧プラズマを利
用してもよい。
【００３９】
また、上記構成の表示装置は、画素電極１９の端部を囲む隔壁層２３と、画素電極１９に
接するように設けられた電界発光層２０と、電界発光層２０に接するように設けられた対
向電極２１を有する。発光素子２２は、画素電極１９、電界発光層２０及び対向電極２１
の積層体に相当し、図示する発光素子２２の構造は、陽極として機能する画素電極１９、
電界発光層２０、陰極として機能する対向電極２１が順に積層された、順積み構造を採用
している。この場合、発光素子２２から出射される光は、陽極として機能する画素電極１
９側に出射し、透光性を有する画素電極１９を透過して、矢印で示すように基板１０の方
向に出射する。つまり、下面出射（ボトムエミッション）が行われる。
【００４０】
第３の構成の表示装置は、基板１０上に設けられたトランジスタ１１と、トランジスタ１
１上に設けられた積層構造を有する第１の絶縁膜１２と、第１の絶縁膜１２上に設けられ
た遮光性を有する第２の絶縁膜１３と、第２の絶縁膜１３に設けられた光を通過させるた
めの開口部と、第２の絶縁膜１３の第１の開口部に接して設けられた第３の絶縁膜１４と
、第３の絶縁膜１４上に設けられた、透光性を有する画素電極１９、電界発光層２０及び
対向電極２１からなる発光素子２２を有する。また、第１の絶縁膜１２に設けられた第２
の開口部を介して、ソース／ドレイン配線１７、１８が形成されている。また、第２の絶
縁膜１３に設けられた第３の開口部を介して、画素電極１９が形成されている（図１（Ｃ
）参照）。
【００４１】
ここで、第１の絶縁膜１２は、無機材料からなる積層構造を有しており、バリア膜として
機能する。例えば、酸素を含む窒化珪素膜と、窒素を含む酸化珪素膜の積層構造からなる
。勿論、この構造に限定されるものではなく、他に、窒化珪素や酸化珪素等を用いること
ができる。また、３層以上の構造としてもよい。但し、積層膜のうちの１層は、無機材料
からなるバリア膜とすることが望ましい。特に、窒素を含む無機材料（酸素を含む窒化珪
素膜、窒素を含む酸化珪素膜も含まれる）を用いることにより、トランジスタに混入する
不純物の低減が期待できる。また、第２の絶縁膜１３は有機材料からなり、遮光性を有す
る。第２の絶縁膜１３に用いる遮光性を有する膜は、アクリル、ポリイミド、シロキサン
等の有機材料に、カーボンや、遮光性を有する金属の粒子を添加したものを用いる。また
、第２の絶縁膜１３として、２層以上の積層膜を設けてもよいが、積層膜のうちの１層は
、有機材料からなる遮光性を有する膜とする。ここで、遮光性を有する第２の絶縁膜１３
には、後に形成される電界発光層２０から発光される光を通すために、第１の開口部が設
けられている。それとは別に、第２の絶縁膜１３には、画素電極１９が形成される第３の
開口部が形成される。第１及び第３の開口部は、同時に形成するのが望ましい。
【００４２】
さらに、第２の絶縁膜１３に設けられた第１の開口部を埋めるように第３の絶縁膜１４が
形成されている。第３の絶縁膜１４としは、透光性を有する材料からなる。例えば、ポリ
イミド、アクリル、ポリアミド等の感光性又は非感光性の有機材料や、シロキサン等の耐
熱性有機樹脂、を用いることができる。なお、第３の絶縁膜１４は、少なくとも、第２の
絶縁膜１３に設けられた開口部を埋める役割をすればよく、第２の絶縁膜１３上の全面に
形成されている必要はない。図示する構成では、第２の絶縁膜１３に設けられた第１の開
口部のみに、第３の絶縁膜１４を形成した。このように、開口部のみに第３の絶縁膜１４
を形成する場合には、第２及び第３の絶縁膜によって形成される絶縁膜の表面が平坦性を
有するように、別途平坦化処理を行っても良い。
【００４３】
第１乃至第３の絶縁膜及びトランジスタのゲート絶縁膜には、開口部が設けられ、ソース
／ドレイン配線１７、１８が形成される。これにより、トランジスタ１１のソース／ドレ
イン領域１６と、画素電極１９とが接続される。ソース／ドレイン配線１７、１８は、ア
ルミニウム及び炭素を含む合金を用いるのが望ましい。また、この合金に、ニッケル、コ
バルト、鉄、珪素等を含有させても良い。これらの含有率は、例えば、炭素を０．１〜３
．０原子％、ニッケル、コバルト、鉄のうち少なくとも一種以上の元素を０．５〜７．０
原子％、珪素を０．５〜２．０原子％とするのがよい。
【００４４】
また、画素電極１９は、第２の絶縁膜１３に設けられた第３の開口部を介して、ソース／
ドレイン配線１８に接続される。なお、上述したＡｌ−Ｃ合金、Ａｌ−Ｃ−Ｎｉ合金等は
、反射性に優れていることも特徴の一つである。ただし、透光性を有する程度に薄膜化す
ることにより、画素電極１９として採用することができる。この場合、ソース／ドレイン
配線と、材質を共通のものとすることができ、コンタクトはさらに良好になる。
【００４５】
また、上記構成の表示装置は、画素電極１９の端部を囲む隔壁層２３と、画素電極１９に
接するように設けられた電界発光層２０と、電界発光層２０に接するように設けられた対
向電極２１を有する。発光素子２２は、画素電極１９、電界発光層２０及び対向電極２１
の積層体に相当し、図示する発光素子２２の構造は、陽極として機能する画素電極１９、
電界発光層２０、陰極として機能する対向電極２１が順に積層された、順積み構造を採用
している。この場合、発光素子２２から発せられる光は、陽極として機能する画素電極１
９側に出射する。つまり、下面出射が行われる。
【００４６】
第４の構成の表示装置は、基板１０上に設けられたトランジスタ１１と、トランジスタ１
１上に設けられた第１の絶縁膜１２と、第１の絶縁膜１２上に設けられた遮光性を有する
第２の絶縁膜１３と、第２の絶縁膜１３に設けられた光を通過させるための第１の開口部
と、第２の絶縁膜１３に接して設けられた第３の絶縁膜１４と、第３の絶縁膜１４上に設
けられた透光性を有する画素電極１９、電界発光層２０及び対向電極２１からなる発光素
子２２を有する。また、第１の絶縁膜１２及び第２の絶縁膜１３に設けられた第２の開口
部を介して、ソース／ドレイン配線１７、１８が形成されている。また、第３の絶縁膜１
４に設けられた第３の開口部を介して、接続配線２４が形成されており、さらに接続配線
２４に接して画素電極１９が形成されている（図１（Ｄ）参照）。
【００４７】
ここで、第１の絶縁膜１２は、無機材料からなり、バリア膜として機能する。例えば、窒
化珪素膜、酸化珪素膜、酸素を含む窒化珪素膜、窒素を含む酸化珪素膜等からなる。第１
の絶縁膜１２は、積層構造とすることもできるが、積層膜のうちの１層は、無機材料から
なるバリア膜とすることが望ましい。また、第２の絶縁膜１３は有機材料からなり、遮光
性を有する。第２の絶縁膜１３に用いる遮光性を有する膜は、アクリル、ポリイミド、シ
ロキサン等の有機材料に、カーボンや、遮光性を有する金属の粒子を添加したものを用い
る。ここで、遮光性を有する第２の絶縁膜１３には、後に形成される電界発光層２０から
発光される光を通すために、第１の開口部が設けられている。それとは別に、第２の絶縁
膜１３には、ソース／ドレイン配線が形成される第２の開口部が形成される。第１及び第
２の開口部は、同時に形成するのが望ましい。また、第２の絶縁膜１３として、２層以上
の積層膜を設けてもよいが、積層膜のうちの１層は、有機材料からなる遮光性を有する膜
とする。
【００４８】
また、第２の絶縁膜１３に、電界発光層２０からの光を通過させるための第１の開口部を
形成した後に、さらに、第２の絶縁膜１３をエッチングする際のレジスト等又は残存する
第２の絶縁膜１３をマスクとして、トランジスタ１１のゲート絶縁膜２８及び下地絶縁膜
２７をエッチングしてもよい。これにより、より明るい光を電界発光層２０から取り出す
ことができる。なお、第２の絶縁膜１３、ゲート絶縁膜２８、下地絶縁膜２７のエッチン
グは、同一工程によって行っても良いし、別工程で行っても良い。
【００４９】
ソース／ドレイン配線１７、１８及び第２の絶縁膜１３上には、第３の絶縁膜１４が形成
されている。第３の絶縁膜１４としては、透光性を有する材料からなる。例えば、ポリイ
ミド、アクリル、ポリアミド等の感光性又は非感光性の有機材料や、シロキサン等の耐熱
性有機樹脂、を用いることができる。第３の絶縁膜１４は、透光性を有する材料を用いる
限り、積層構造としても良い。
【００５０】
第３の絶縁膜１４には第３の開口部が設けられており、ソース／ドレイン配線１８に接続
される接続配線２４が形成されている。さらに、接続配線２４上に、画素電極１９が形成
されている。接続配線２４と画素電極１９の積層順序は、図示したものに限定されない。
また、図示した構成においては、接続配線２４を介して、ソース／ドレイン配線１８と画
素電極１９とを接続したが、第３の構成と同様に、第３の絶縁膜１４に設けられた開口部
を介して、直接、ソース／ドレイン配線１８と、画素電極１９とを接続しても良い。
【００５１】
ソース／ドレイン配線１７、１８は、アルミニウム及び炭素を含む合金を用いるのが望ま
しい。また、この合金に、ニッケル、コバルト、鉄、珪素等を含有させても良い。これら
の含有率は、例えば、炭素を０．１〜３．０原子％、ニッケル、コバルト、鉄のうち少な
くとも一種以上の元素を０．５〜７．０原子％、珪素を０．５〜２．０原子％とするのが
よい。また、接続配線２４についても、同様の材料を用いることができる。
【００５２】
また、上記構成の表示装置は、画素電極１９の端部を囲む隔壁層２３と、画素電極１９に
接するように設けられた電界発光層２０と、電界発光層２０に接するように設けられた対
向電極２１を有する。発光素子２２は、画素電極１９、電界発光層２０及び対向電極２１
の積層体に相当し、図示する発光素子２２の構造は、陽極として機能する画素電極１９、
電界発光層２０、陰極として機能する対向電極２１が順に積層された、順積み構造を採用
している。この場合、発光素子２２から発せられる光は、陽極として機能する画素電極１
９側に出射する。つまり、下面出射が行われる。
【００５３】
上述した図１（Ａ）〜（Ｄ）に示す第１〜第４の構成を有するボトムエミッション型表示
装置は、遮光性を有する絶縁膜が設けられていることにより、迷光により、１画素に相当
する発光領域の輪郭がぼやけたりする影響を抑制することができる。つまり、遮光性を有
する絶縁膜が迷光を吸収するために、１画素に相当する発光領域の輪郭が明瞭なものとな
り、高精細な画像を表示することができる。また、遮光膜の配置により迷光による影響を
抑制することができ、小型化、軽量化、薄型化が実現される。
（実施の形態２）
【００５４】
本発明に係る両面出射（デュアルエミッション）型表示装置の断面構造について、４つの
場合に大別して、図面を参照して説明する。なお、本実施の形態において、トランジスタ
上に設けられる、主にバリア機能を有する第１の絶縁膜１２は、できるだけ形成するのが
望ましいが、省略することも可能である。このように、本発明の構成において、第１の絶
縁膜１２を省略する場合には、以下に述べる「第２の絶縁膜１３」、「第３の絶縁膜１４
」は、適宜、「第１の絶縁膜１３」、「第２の絶縁膜１４」と読み替えるものとする。
【００５５】
第５の構成の表示装置は、基板１０上に設けられたトランジスタ１１と、トランジスタ１
１上に設けられた第１の絶縁膜１２と、第１の絶縁膜１２上に設けられた遮光性を有する
第２の絶縁膜１３と、第２の絶縁膜１３に設けられた光を通過させるための第１の開口部
と、第２の絶縁膜１３に接して設けられた第３の絶縁膜１４と、第３の絶縁膜１４上に設
けられた、透光性を有する画素電極１９、電界発光層２０及び透光性を有する対向電極２
５からなる発光素子２２と、画素電極１９、電界発光層２０及び対向電極２５のうち少な
くとも一つに接して設けられた、遮光性を有する膜２６を含む隔壁層を有する（図２（Ａ
）参照）。
【００５６】
基板１０は、ガラスや石英、プラスチック等からなる絶縁表面を有する基板である。トラ
ンジスタ１１は、電界効果型のトランジスタであり、ゲート電極、ソース電極、ドレイン
電極の３つの端子を有する。トランジスタ１１の導電型に制約はなく、Ｐチャネル型とＮ
チャネル型のどちらのタイプを用いてもよい。
【００５７】
第１の絶縁膜１２は、酸化珪素膜、窒化珪素膜、窒素を含む酸化珪素膜、酸素を含む窒化
珪素膜などの無機材料からなる。第１の絶縁膜１２は、バリア膜としての機能もあり、ト
ランジスタ１１に対する不純物の侵入を防止する。また、第２の絶縁膜１３は、有機材料
を主成分として構成され、遮光性を有している。第２の絶縁膜１３に用いる遮光性を有す
る膜は、振とう機や超音波振動器等を用いて、アクリル、ポリイミドなどの有機樹脂材料
やシロキサンなどの有機材料に、カーボンや、遮光性を有する金属の粒子を添加して撹拌
した後、必要に応じて濾過を行い、その後、スピンコート法で形成する。なお、有機材料
にカーボン粒子や金属粒子を添加する際は、均一に混合されるように、界面活性剤や分散
剤などを添加してもよい。また、カーボン粒子を添加する際は、カーボン粒子の濃度が重
量パーセントで５〜１５％となるように、その添加量を調節するとよい。また、スピンコ
ート法で形成した後の薄膜をそのまま用いてもよいが、硬化を目的とした焼成を行っても
よい。成膜された薄膜の透過率と反射率は、共に０％、又はほぼ０％に近い値となる。
【００５８】
ここで、遮光性を有する第２の絶縁膜１３には、後に形成される電界発光層２０から発光
される光を通すために、第１の開口部が設けられている。この第１の開口部は、レジスト
等を用いて、第２の絶縁膜１３をエッチングすることによって形成することができる。ま
たは、インクジェット法などの液滴吐出法によって、第２の絶縁膜１３を選択的に形成す
ることによって、第１の開口部を形成しても良い。
【００５９】
また、第２の絶縁膜１３に、電界発光層２０からの光を通過させるための第１の開口部を
形成した後に、さらに、第２の絶縁膜１３をエッチングする際のレジスト等又は残存する
第２の絶縁膜１３をマスクとして、トランジスタ１１のゲート絶縁膜２８及び下地絶縁膜
２７をエッチングしてもよい。これにより、より明るい光を電界発光層２０から取り出す
ことができる。なお、第２の絶縁膜１３、ゲート絶縁膜２８、下地絶縁膜２７のエッチン
グは、同一工程によって行っても良いし、別工程で行っても良い。
【００６０】
さらに、その第１の開口部を埋めるように、第２の絶縁膜１３上に第３の絶縁膜１４が形
成されている。なお、第３の絶縁膜１４としては、透光性を有する材料からなる。例えば
、ポリイミド、アクリル、ポリアミド等の感光性又は非感光性の有機材料や、シロキサン
等の耐熱性有機樹脂、を用いることができる。なお、第２の絶縁膜１３と第３の絶縁膜１
４は、いずれも有機樹脂を主成分をして構成されるが、その材質は、同じでも異なってい
ても良い。また、これらの材質は、上記に限定されるものではない。第３の絶縁膜１４は
、少なくとも、第２の絶縁膜１３に設けられた第１の開口部を埋める役割をすればよく、
第２の絶縁膜１３上の全面に形成されている必要はない。図示する構成では、第２の絶縁
膜１３上の全面に、第３の絶縁膜１４を形成した。このように、第２の絶縁膜１３上の全
面に第３の絶縁膜１４を形成する場合には、第３の絶縁膜１４は、カーボン粒子等を含む
第２の絶縁膜１３よりも絶縁性に優れるため、トランジスタ１１から供給される電流が、
画素電極１９以外にリークすることを防止することができる。なお、第１の開口部のみに
第３の絶縁膜１４を形成する場合には、第２及び第３の絶縁膜によって形成される絶縁膜
の表面が平坦性を有するように、別途平坦化処理を行っても良い。
【００６１】
なお、上記の構成では３層の絶縁膜の積層膜が設けられているが、本発明はこの構成に制
約されない。２層の積層膜を設けてもよいし、４層以上の積層膜を設けてもよい。但し、
積層膜のうちの１層は、無機材料からなるバリア膜とし、１層は開口部を有する有機材料
からなる遮光性を有する膜とする。そして、バリア膜は、トランジスタ１１に接するよう
に設ける。
【００６２】
このように、遮光性を有する絶縁膜（図２（Ａ）では、第２の絶縁膜１３）が設けられて
いることにより、電界発光層２０から発光される光のうち、迷光となる光が遮断され、外
部に均一な光が供給される。また、第２の絶縁膜１３は、トランジスタ１１を完全に覆う
ように形成されるのが望ましい。これによって、トランジスタ１１の半導体層への光のリ
ークを防止することができ、光によるトランジスタの特性の劣化を防止することができる
。
【００６３】
第１乃至第３の絶縁膜及びトランジスタのゲート絶縁膜には、第２の開口部が設けられ、
ソース／ドレイン配線１７、１８が形成される。これにより、トランジスタ１１と、画素
電極１９とが接続される。ソース／ドレイン配線１７、１８は、アルミニウム及び炭素を
含む合金を用いるのが望ましい。また、この合金に、ニッケル、コバルト、鉄、珪素等を
含有させても良い。これらの含有率は、例えば、炭素を０．１〜３．０原子％、ニッケル
、コバルト、鉄のうち少なくとも一種以上の元素を０．５〜７．０原子％、珪素を０．５
〜２．０原子％とするのがよい。また、ソース／ドレイン配線１７、１８は、画素電極１
９の上方、又は画素電極１９と同じ層に設けられる。図示する構成では、ソース／ドレイ
ン配線１７、１８は、画素電極１９の上方に乗り上げるように設けられている。すなわち
、画素電極１９を形成した後に、ソース／ドレイン配線１７、１８が形成されている。
【００６４】
また、上記構成の表示装置は、画素電極１９の端部を囲む隔壁層と、画素電極１９に接す
るように設けられた電界発光層２０と、電界発光層２０に接するように設けられた対向電
極２５を有する。ここで、隔壁層としては、透光性を有する隔壁層２３及び遮光性を有す
る隔壁層２６が積層されて設けられている（図２（Ａ））。なお、両隔壁層の順序は、図
示したものに限定されない。また、隔壁層２３も遮光性を有する隔壁層としても良い。ま
た、遮光性を有する隔壁層２６一層のみの構造としても良い。隔壁層２３、２６には、電
界発光層２０が形成されるための第３の開口部が設けられている。この第３の開口部は、
レジスト等を用いて、隔壁層２３、２６をエッチングすることによって形成することがで
きる。または、インクジェット法などの液滴吐出法によって、隔壁層２３、２６を選択的
に形成することによって、第３の開口部を形成しても良い。
【００６５】
透光性を有する隔壁層２３としては、ポリイミド、アクリル、ポリアミド等の感光性又は
非感光性の有機材料や、シロキサン等の耐熱性有機樹脂、透明な無機材料を用いることが
できる。また、遮光性を有する隔壁層２６としては、アクリル、ポリイミドなどの有機樹
脂材料やシロキサンなどの有機材料に、カーボン粒子や金属粒子を添加したものを用いる
ことができる。ただし、ソース／ドレイン配線１７、１８や、画素電極１９に接する部分
には、電流のリークを防止するために、カーボンや金属粒子を含む隔壁層をできるだけ設
けないようにするのが望ましい。すなわち、図示するように、絶縁性が高く、かつ透光性
を有する有機材料又は無機材料を設けた後に、遮光性を有する隔壁層２６を形成するのが
望ましい。いずれにせよ、本発明に係るデュアルエミッション型表示装置においては、遮
光性を有する隔壁層２６を用いた場合には、上面出射される光のうち、迷光を吸収するこ
とができ、迷光により画素間の輪郭がぼやけたりする影響を抑制することができる。つま
り、遮光性を有する隔壁層が迷光を吸収するために、画素間の輪郭が明瞭なものとなり、
高精細な画像を表示することができる。また、遮光膜の配置により迷光による影響を抑制
することができ、小型化、軽量化、薄型化が実現される。
【００６６】
ここで、画素電極１９は、透光性を有する材料を用いる。例えば、ＩＴＯ、ＩＴＳＯ、Ｚ
ｎＯ、ＧＺＯ、ＩＺＯ等を用いることができる。なお、画素電極１９と、電界発光層２０
との間に、珪素、酸化珪素、窒化珪素等のバリア層を挟持させてもよい。これにより、発
光効率が上昇する。一方、対向電極２５としては、発光層からの光を透過させるべく、１
〜１０ｎｍのアルミニウム薄膜、もしくはＬｉを微量に含むアルミニウム膜等を用いるこ
とができる。
【００６７】
発光素子２２は、画素電極１９、電界発光層２０及び対向電極２５の積層体に相当し、図
示する発光素子２２の構造は、陽極として機能する画素電極１９、電界発光層２０、陰極
として機能する対向電極２５が順に積層された、順積み構造を採用している。この場合、
発光素子２２から出射される光は、画素電極１９及び対向電極２５の両側に出射し、透光
性を有する両電極を透過して、矢印で示すように出射する。つまり、両面出射（デュアル
エミッション）が行われる。
【００６８】
なお、画素電極１９を陰極として機能させ、かつ、対向電極２５を陽極として機能させ、
その間に電界発光層２０を挟持させた逆積み構造を採用することもできる。この場合、画
素電極１９としては、発光層からの光を透過させるべく、１〜１０ｎｍのアルミニウム薄
膜、もしくはＬｉを微量に含むアルミニウム膜等を用いることができる。一方、対向電極
２５としては、ＩＴＯ、ＩＴＳＯ、ＺｎＯ、ＧＺＯ、ＩＺＯ等を用いることができる。ま
た、この場合、トランジスタの極性を順積みの場合の極性と反対にすればよい。逆積み構
造を採用した場合であっても、電界発光層２０の両側の電極は、いずれも透光性を有して
いるため、両面出射の発光装置を実現することができる。
【００６９】
第６の構成の表示装置は、基板１０上に設けられたトランジスタ１１と、トランジスタ１
１上に設けられた第１の絶縁膜１２と、第１の絶縁膜１２上に設けられた遮光性を有する
第２の絶縁膜１３と、第２の絶縁膜１３に設けられた光を通過させるための第１の開口部
と、第２の絶縁膜１３に接して設けられた第３の絶縁膜１４と、第３の絶縁膜１４上に設
けられた、透光性を有する画素電極１９、電界発光層２０及び透光性を有する対向電極２
５からなる発光素子２２と、画素電極１９、電界発光層２０及び対向電極２５のうち少な
くとも一つに接して設けられた、遮光性を有する膜を含む隔壁層を有する（図２（Ｂ）参
照）。
【００７０】
構成の概要は、第５の構成の表示装置とほぼ同じであり、同様の材料を用いて構成するこ
とができる。ただし、画素電極１９がソース／ドレイン配線１８の上側に形成される点で
異なる。すなわち、ソース／ドレイン配線１７、１８を形成した後に、画素電極１９が形
成されている。
【００７１】
また、上記構成の表示装置は、画素電極１９の端部を囲む隔壁層２３及び遮光性を有する
隔壁層２６と、画素電極１９に接するように設けられた電界発光層２０と、電界発光層２
０に接するように設けられた対向電極２５を有する。ここで、隔壁層としては、透光性を
有する隔壁層２３及び遮光性を有する隔壁層２６が積層されて設けられている。そして、
遮光性を有する隔壁層２６は、隔壁層２３の上面のみならず、その側面にも形成されてい
る（図２（Ｂ））。図示された構成とする方法の一例を説明する。まず、隔壁層２３を、
レジスト等を用いたパターニング又は液滴吐出法によって選択的に形成した後、遮光性を
有する隔壁層２６を画素電極１９及び隔壁層２３の全面に形成する。その後、遮光性を有
する隔壁層２６を、隔壁層２３の側面に隔壁層２６の一部が残存するように、パターニン
グ形成する。なお、両隔壁層の順序は、図示したものに限定されない。また、隔壁層２３
も遮光性を有する隔壁層としても良い。また、遮光性を有する隔壁層２６一層のみの構造
としても良い。
【００７２】
透光性を有する隔壁層２３としては、ポリイミド、アクリル、ポリアミド等の感光性又は
非感光性の有機材料や、シロキサン等の耐熱性有機樹脂、透明な無機材料を用いることが
できる。また、遮光性を有する隔壁層としては、アクリル、ポリイミドなどの有機樹脂材
料やシロキサンなどの有機材料に、カーボンや、遮光性を有する金属の粒子を添加したも
のを用いることができる。ただし、ソース／ドレイン配線１７、１８や、画素電極１９に
接する部分には、電流のリークを防止するために、カーボンや金属粒子を含む隔壁層をで
きるだけ設けないようにするのが望ましい。すなわち、図示するように、絶縁性が高く、
かつ透光性を有する有機材料又は無機材料を設けた後に、遮光性を有する隔壁層２６を形
成するのが望ましい。いずれにせよ、本発明に係るデュアルエミッション型表示装置にお
いては、遮光性を有する隔壁層２６を用いた場合には、上面出射される光のうち、迷光を
吸収することができ、迷光により画素間の輪郭がぼやけたりする影響を抑制することがで
きる。つまり、遮光性を有する隔壁層が迷光を吸収するために、画素間の輪郭が明瞭なも
のとなり、高精細な画像を表示することができる。また、遮光膜の配置により迷光による
影響を抑制することができ、小型化、軽量化、薄型化が実現される。
【００７３】
発光素子２２は、画素電極１９、電界発光層２０及び対向電極２５の積層体に相当し、図
示する発光素子２２の構造は、陽極として機能する画素電極１９、電界発光層２０、陰極
として機能する対向電極２５が順に積層された、順積み構造を採用している。この場合、
発光素子２２から出射される光は、画素電極１９及び対向電極２５の両側に出射し、透光
性を有する両電極を透過して、矢印で示すように出射する。つまり、両面出射（デュアル
エミッション）が行われる。
【００７４】
なお、画素電極１９を陰極として機能させ、かつ、対向電極２５を陽極として機能させ、
その間に電界発光層２０を挟持させた逆積み構造を採用することもできる。この場合、ト
ランジスタの極性を順積みの場合の極性と反対にすればよい。逆積み構造を採用した場合
であっても、電界発光層２０の両側の電極は、いずれも透光性を有しているため、両面出
射の発光装置を実現することができる。
【００７５】
第７の構成の表示装置は、基板１０上に設けられたトランジスタ１１と、トランジスタ１
１上に設けられた第１の絶縁膜１２と、第１の絶縁膜１２上に設けられた遮光性を有する
第２の絶縁膜１３と、第２の絶縁膜１３に設けられた光を通過させるための第１の開口部
と、第２の絶縁膜１３の開口部に接して設けられた第３の絶縁膜１４と、第３の絶縁膜１
４上に設けられた、透光性を有する画素電極１９、電界発光層２０及び透光性を有する対
向電極２５からなる発光素子２２と、画素電極１９、電界発光層２０及び対向電極２５の
うち少なくとも一つに接して設けられた、遮光性を有する膜を含む隔壁層を有する。また
、第１の絶縁膜１２に設けられた第２の開口部を介して、ソース／ドレイン配線１７、１
８が形成されている。また、第２の絶縁膜１３に設けられた第３の開口部を介して、画素
電極１９が形成されている（図２（Ｃ）参照）。
【００７６】
ここで、第１の絶縁膜１２は、無機材料からなる積層構造を有しており、バリア膜として
機能する。例えば、酸素を含む窒化珪素膜と、窒素を含む酸化珪素膜の積層構造からなる
。勿論、この構造に限定されるものではなく、他に、窒化珪素や酸化珪素等を用いること
ができる。また、３層以上の構造としてもよい。但し、積層膜のうちの１層は、無機材料
からなるバリア膜とすることが望ましい。特に、窒素を含む無機材料（酸素を含む窒化珪
素膜、窒素を含む酸化珪素膜も含まれる）を用いることにより、トランジスタに混入する
不純物の低減が期待できる。また、第２の絶縁膜１３は有機材料からなり、遮光性を有す
る。第２の絶縁膜１３に用いる遮光性を有する膜は、アクリル、ポリイミド、シロキサン
等の有機材料に、カーボンや、遮光性を有する金属の粒子を添加したものを用いる。また
、第２の絶縁膜１３として、２層以上の積層膜を設けてもよいが、積層膜のうちの１層は
、有機材料からなる遮光性を有する膜とする。ここで、遮光性を有する第２の絶縁膜１３
には、後に形成される電界発光層２０から発光される光を通すために、第１の開口部が設
けられている。それとは別に、第２の絶縁膜１３には、画素電極１９が形成される第３の
開口部が形成される。第１及び第３の開口部は、同時に形成するのが望ましい。さらに、
その第２の絶縁膜１３に形成された第１の開口部を埋めるように、第３の絶縁膜１４が形
成されている。第３の絶縁膜１４としては、透光性を有する材料からなる。例えば、ポリ
イミド、アクリル、ポリアミド等の感光性又は非感光性の有機材料や、シロキサン等の耐
熱性有機樹脂、を用いることができる。なお、第３の絶縁膜１４は、少なくとも、第２の
絶縁膜１３に設けられた第１の開口部を埋める役割をすればよく、第２の絶縁膜１３上の
全面に形成されている必要はない。図示する構成では、第２の絶縁膜１３の第１の開口部
のみに、第３の絶縁膜１４を形成した。このように、第１の開口部のみに第３の絶縁膜１
４を形成する場合には、第２及び第３の絶縁膜によって形成される絶縁膜の表面が平坦性
を有するように、別途平坦化処理を行っても良い。
【００７７】
ソース／ドレイン配線１７、１８は、アルミニウム及び炭素を含む合金を用いるのが望ま
しい。また、この合金に、ニッケル、コバルト、鉄、珪素等を含有させても良い。これら
の含有率は、例えば、炭素を０．１〜３．０原子％、ニッケル、コバルト、鉄のうち少な
くとも一種以上の元素を０．５〜７．０原子％、珪素を０．５〜２．０原子％とするのが
よい。
【００７８】
また、上記構成の表示装置は、画素電極１９の端部を囲む隔壁層２３と、画素電極１９に
接するように設けられた電界発光層２０と、電界発光層２０に接するように設けられた対
向電極２５を有する。発光素子２２は、画素電極１９、電界発光層２０及び対向電極２５
の積層体に相当し、図示する発光素子２２の構造は、陽極として機能する画素電極１９、
電界発光層２０、陰極として機能する対向電極２５が順に積層された、順積み構造を採用
している。この場合、発光素子２２から出射される光は、画素電極１９及び対向電極２５
の両側に出射し、透光性を有する両電極を透過して、矢印で示すように出射する。つまり
、両面出射（デュアルエミッション）が行われる。なお、図示する構成では、隔壁層２３
としては透明な有機材料を用いたが、第５又は第６の構成のように、遮光性を有する有機
樹脂との積層構造としても良い。
【００７９】
なお、画素電極１９を陰極として機能させ、かつ、対向電極２５を陽極として機能させ、
その間に電界発光層２０を挟持させた逆積み構造を採用することもできる。この場合、ト
ランジスタの極性を順積みの場合の極性を反対にすればよい。逆積み構造を採用した場合
であっても、電界発光層２０の両側の電極は、いずれも透光性を有しているため、両面出
射の発光装置を実現することができる。
【００８０】
第８の構成の表示装置は、基板１０上に設けられたトランジスタ１１と、トランジスタ１
１上に設けられた第１の絶縁膜１２と、第１の絶縁膜１２上に設けられた遮光性を有する
第２の絶縁膜１３と、第２の絶縁膜１３に設けられた光を通過させるための第１の開口部
と、第２の絶縁膜１３に接して設けられた第３の絶縁膜１４と、第３の絶縁膜１４上に設
けられた、透光性を有する画素電極１９、電界発光層２０及び透光性を有する対向電極２
５からなる発光素子２２と、画素電極１９、電界発光層２０及び対向電極２５のうち少な
くとも一つに接して設けられた、遮光性を有する膜を含む隔壁層を有する。また、第１の
絶縁膜１２及び第２の絶縁膜１３に設けられた第２の開口部を介して、ソース／ドレイン
配線１７、１８が形成されている。また、第３の絶縁膜１４に設けられた第３の開口部を
介して、接続配線２４が形成されており、さらに接続配線２４に接して画素電極１９が形
成されている（図２（Ｄ）参照）。
【００８１】
ここで、第１の絶縁膜１２は、無機材料からなり、バリア膜として機能する。例えば、窒
化珪素膜、酸化珪素膜、酸素を含む窒化珪素膜、窒素を含む酸化珪素膜等からなる。第１
の絶縁膜１２は、積層構造とすることもできるが、積層膜のうちの１層は、無機材料から
なるバリア膜とすることが望ましい。また、第２の絶縁膜１３は有機材料からなり、遮光
性を有する。また、第２の絶縁膜１３として、２層以上の積層膜を設けてもよいが、積層
膜のうちの１層は、有機材料からなる遮光性を有する膜とする。第２の絶縁膜１３に用い
る遮光性を有する膜は、アクリル、ポリイミド、シロキサン等の有機材料に、カーボンや
、遮光性を有する金属の粒子を添加したものを用いる。ここで、遮光性を有する第２の絶
縁膜１３には、後に形成される電界発光層２０から発光される光を通すために、第１の開
口部が設けられている。それとは別に、第２の絶縁膜１３には、ソース／ドレイン配線が
形成される第２の開口部が形成される。第１及び第２の開口部は、同時に形成するのが望
ましい。また、第２の絶縁膜１３として、２層以上の積層膜を設けてもよいが、積層膜の
うちの１層は、有機材料からなる遮光性を有する膜とする。ソース／ドレイン配線１７、
１８及び第２の絶縁膜１３上には、第３の絶縁膜１４が形成されている。第３の絶縁膜１
４としては、透光性を有する材料からなる。例えば、ポリイミド、アクリル、ポリアミド
等の感光性又は非感光性の有機材料や、シロキサン等の耐熱性有機樹脂、を用いることが
できる。第３の絶縁膜１４は、透光性を有する材料を用いる限り、積層構造としても良い
。
【００８２】
第３の絶縁膜１４には第３の開口部が設けられており、ソース／ドレイン配線１８に接続
される接続配線２４が形成されている。さらに、接続配線２４上に、画素電極１９が形成
されている。接続配線２４と画素電極１９の積層順序は、図示したものに限定されない。
また、図示した構成においては、接続配線２４を介して、ソース／ドレイン配線１８と画
素電極１９とを接続したが、第３の構成と同様に、第３の絶縁膜１４に設けられた第３の
開口部を介して、直接、ソース／ドレイン配線１８と、画素電極１９とを接続しても良い
。
【００８３】
ソース／ドレイン配線１７、１８は、アルミニウム及び炭素を含む合金を用いるのが望ま
しい。また、この合金に、ニッケル、コバルト、鉄、珪素等を含有させても良い。これら
の含有率は、例えば、炭素を０．１〜３．０原子％、ニッケル、コバルト、鉄のうち少な
くとも一種以上の元素を０．５〜７．０原子％、珪素を０．５〜２．０原子％とするのが
よい。また、接続配線２４についても、同様の材料を用いることができる。
【００８４】
また、上記構成の表示装置は、画素電極１９の端部を囲む隔壁層２３と、画素電極１９に
接するように設けられた電界発光層２０と、電界発光層２０に接するように設けられた対
向電極２５を有する。発光素子２２は、画素電極１９、電界発光層２０及び対向電極２５
の積層体に相当し、図示する発光素子２２の構造は、陽極として機能する画素電極１９、
電界発光層２０、陰極として機能する対向電極２５が順に積層された、順積み構造を採用
している。この場合、発光素子２２から出射される光は、画素電極１９及び対向電極２５
の両側に出射し、透光性を有する両電極を透過して、矢印で示すように出射する。つまり
、両面出射（デュアルエミッション）が行われる。なお、図示する構成では、隔壁層２３
としては透明な有機材料を用いたが、第５又は第６の構成のように、遮光性を有する有機
樹脂との積層構造としても良い。
【００８５】
なお、画素電極１９を陰極として機能させ、かつ、対向電極２５を陽極として機能させ、
その間に電界発光層２０を挟持させた逆積み構造を採用することもできる。この場合、ト
ランジスタの極性を順積みの場合の極性を反対にすればよい。逆積み構造を採用した場合
であっても、電界発光層２０の両側の電極は、いずれも透光性を有しているため、両面出
射の発光装置を実現することができる。
【００８６】
なお、上記第７の構成（図２（Ｃ）参照）によれば、トランジスタ１１上に第１の絶縁膜
１２を設け、第２の絶縁膜１２上に第２の絶縁膜１３を設け、第２の絶縁膜１３に接して
第３の絶縁膜１４を設け、第２の絶縁膜１３に設けられた開口部を介して、ソース／ドレ
イン配線１８に接続する画素電極１９を設けている。また、上記第８の構成（図２（Ｄ）
参照）に示す構成によれば、トランジスタ１１上に第１の絶縁膜１２を設け、第１の絶縁
膜１２上に第２の絶縁膜１３を設け、第２の絶縁膜１３上に第３の絶縁膜１４を設け、第
３の絶縁膜１４に設けられた第３の開口部を介して、ソース／ドレイン配線１８に接続す
る接続配線２４を設け、接続配線２４に接する画素電極１９を設けている。または、接続
配線２４を設けずに、第３の絶縁膜１４に設けられた第３の開口部を介して、ソース／ド
レイン配線１８と直接接続する画素電極１９を設けている。このような構成にすると、画
素電極１９を設ける領域は、ソース／ドレイン配線１７、１８が配置された領域に制限さ
れることがない。つまり、画素電極１９を設ける領域のマージンが広がるため、特に、両
面出射のうち、上面出射の開口率の向上を図ることができる。また、高開口率を実現する
と、光を発する面積の増加に伴い、駆動電圧を下げて、消費電力を削減することができる
。
【００８７】
上述した図２（Ａ）〜（Ｄ）に示す第５〜第８の構成を有するデュアルエミッション型表
示装置は、少なくとも下面出射される側に、遮光性を有する絶縁膜が設けられていること
により、迷光により、画素間の輪郭がぼやけたりする影響を抑制することができる。つま
り、遮光性を有する絶縁膜が迷光を吸収するために、画素間の輪郭が明瞭なものとなり、
高精細な画像を表示することができる。勿論、本発明は、デュアルエミッション型表示装
置であるから、上面出射される側にも、遮光性を有する絶縁膜（ここでは、隔壁層２６）
を設け、迷光をカットするのが望ましい。そして、この構造はデュアルエミッション型の
みならず、トップエミッション型の表示装置に適用することも勿論可能であり、この場合
、基板１０として、上述したガラスや石英、プラスチック等からなる絶縁表面を有する基
板の他に、シリコン基板や金属基板を用いることもできる。このように本発明は、遮光膜
の配置により迷光による影響を抑制することができ、小型化、軽量化、薄型化が実現され
る。
【実施例１】
【００８８】
本発明の表示装置の構成について図面を参照して説明する。本発明の表示装置は、ソース
線Ｓｘ（ｘは自然数、１≦ｘ≦ｍ）と、ゲート線Ｇｙ（ｙは自然数、１≦ｙ≦ｎ）が絶縁
体を介して交差する領域に複数の素子を含む画素３１０を複数有する（図３（Ａ）参照）
。画素３１０は、発光素子３１３と、容量素子３１６と、２つのトランジスタとを有する
。２つのトランジスタのうち、１つは画素３１０に対するビデオ信号の入力を制御するス
イッチング用のトランジスタ３１１であり、もう１つは発光素子３１３の発光と非発光を
制御する駆動用のトランジスタ３１２である。容量素子３１６は、トランジスタ３１２の
ゲート・ソース間電圧を保持する機能を有する。また、容量素子３１６は、省略すること
も可能である。つまり、トランジスタ３１２のゲート容量で代用することが可能である。
トランジスタ３１２のゲート容量については、ソース領域、ドレイン領域、ＬＤＤ領域な
どとゲート電極とが重なってオーバーラップしているような領域で容量が形成されていて
もよいし、チャネル領域とゲート電極との間でゲート容量が形成されていてもよい。
【００８９】
トランジスタ３１１のゲート電極はゲート線Ｇｙに接続し、ソース電極及びドレイン電極
の一方はソース線Ｓｘに接続し、他方はトランジスタ３１２のゲート電極に接続する。ト
ランジスタ３１２のソース電極及びドレイン電極の一方は電源線Ｖｘ（ｘは自然数、１≦
ｘ≦ｌ）を介して第１の電源３１７に接続し、他方は発光素子３１３の画素電極に接続す
る。発光素子３１３の対向電極は第２の電源３１８に接続する。容量素子３１６はトラン
ジスタ３１２のゲート電極とソース電極の間に設けられる。トランジスタ３１１、３１２
の導電型は、Ｎ型とＰ型のどちらでもよいが、図示する構成では、トランジスタ３１１は
Ｎ型、トランジスタ３１２はＰ型の場合を示す。第１の電源３１７の電位と第２の電源３
１８の電位は特に制約されないが、発光素子３１３に順方向バイアス又は逆方向バイアス
の電圧が印加されるように、互いに異なる電位に設定する。
【００９０】
トランジスタ３１１、３１２を構成する半導体は、非晶質半導体（アモルファスシリコン
）、微結晶半導体、結晶質半導体、有機半導体等のいずれでもよい。微結晶半導体は、シ
ランガス（ＳｉＨ4）とフッ素ガス（Ｆ2）を用いて形成するか、シランガスと水素ガスを
用いて形成するか、上記に挙げたガスを用いて薄膜を形成後にレーザ光の照射を行って形
成してもよい。トランジスタ３１１、３１２のゲート電極は、導電性材料により単層又は
積層で形成する。例えば、画素３１０が設けられている基板側からタングステン（Ｗ）、
窒化タングステン（ＷＮ）を順に積層する構造や、基板側からモリブデン（Ｍｏ）、アル
ミニウム（Ａｌ）、Ｍｏ、またはＭｏ、窒化モリブデン（ＭｏＮ）を順に積層する構造を
採用するとよい。
【００９１】
次に、上記構成を有する画素３１０のレイアウトを図４に示す。このレイアウトでは、ト
ランジスタ３１１、３１２、容量素子３１６、発光素子３１３の画素電極３１９を示す。
【００９２】
続いて、このレイアウトの鎖線Ａ−Ｂ、Ｂ´−Ｃに対応する断面構造を図３（Ｂ）に示す
。ガラスや石英などの絶縁表面を有する基板３２０上にトランジスタ３１１、３１２、発
光素子３１３、容量素子３１６が設けられている。基板３２０としては、ガラス基板、石
英基板、アルミナなど絶縁物質で形成される基板、後工程の処理温度に耐え得る耐熱性を
有するプラスチック基板等を用いることができる。図１、２に示すように、下地絶縁膜２
７を形成しておいてもよい。
【００９３】
また、隣接する画素３１０の間に設けられる隔壁層３３２のレイアウトを図５に示す。隔
壁層３３２の大きさは、その下部に設けられた配線を隠すことができる幅であることが好
ましい。図示するレイアウトの画素３１０の列方向（縦方向）の長さは幅３３８で示し、
行方向（横方向）の長さは幅３３７で示す。
【００９４】
次に、図３（Ａ）に示した画素回路以外で、本発明に適用可能な画素回路の例について、
図面を参照して説明する。図６（Ａ）は、図３（Ａ）に示した画素３１０に、消去用のト
ランジスタ３４０と、消去用のゲート線Ｒｙを新たに設けた構成の画素回路である。トラ
ンジスタ３４０の配置により、強制的に発光素子３１３に電流が流れない状態を作ること
ができるため、全ての画素３１０に対する信号の書き込みを待つことなく、書き込み期間
の開始と同時又は直後に点灯期間を開始することができる。従って、デューティ比が向上
して、動画の表示は特に良好に行うことができる。
【００９５】
図６（Ｂ）は、図３（Ａ）に示した画素３１０のトランジスタ３１２を削除して、新たに
、トランジスタ３４１、３４２と、電源線Ｖａｘ（ｘは自然数、１≦ｘ≦ｋ）を設けた画
素回路である。電源線Ｖａｘは電源３４３に接続する。本構成では、トランジスタ３４１
のゲート電極を一定の電位に保持した電源線Ｖａｘに接続することにより、トランジスタ
３４１のゲート電極の電位を固定にし、なおかつ飽和領域で動作させる。また、トランジ
スタ３４２は線形領域で動作させて、そのゲート電極には、画素の点灯又は非点灯の情報
を含むビデオ信号を入力する。線形領域で動作するトランジスタ３４２のソースドレイン
間電圧の値は小さいため、トランジスタ３４２のゲート・ソース間電圧の僅かな変動は、
発光素子３１３に流れる電流値には影響を及ぼさない。従って、発光素子３１３に流れる
電流値は、飽和領域で動作するトランジスタ３４１により決定される。上記構成を有する
本発明は、トランジスタ３４１の特性バラツキに起因した発光素子３１３の輝度ムラを改
善して画質を高めることができる。本実施例は、上記実施の形態及び他の実施例と自由に
組み合わせることができる。
【実施例２】
【００９６】
本発明の表示装置の一形態であるパネルについて説明する。基板４０５上には、発光素子
を含む画素を複数有する表示領域４００、ゲートドライバ４０１、ゲートドライバ４０２
、ソースドライバ４０３及びＦＰＣ等の接続フィルム４０７が設けられる（図７（Ａ）参
照）。接続フィルム４０７はＩＣチップなどに接続する。
【００９７】
図７（Ｂ）はパネルのＡ−Ｂにおける断面図を示し、表示領域４００に設けられたトラン
ジスタ４１２と発光素子４１３、ソースドライバ４０３に設けられた素子群４１０を示す
。また、４１４は、容量素子である。表示領域４００、ゲートドライバ４０１、４０２及
びソースドライバ４０３の周囲にはシール材４０８が設けられ、発光素子４１３は、該シ
ール材４０８と対向基板４０６により封止される。この封止処理は、発光素子４１３を水
分から保護するための処理であり、ここではカバー材（ガラス、セラミックス、プラスチ
ック、金属等）により封止する方法を用いるが、熱硬化性樹脂や紫外光硬化性樹脂を用い
て封止する方法、金属酸化物や窒化物等のバリア能力が高い薄膜により封止する方法を用
いてもよい。また、発光素子４１３のうち、対向電極１９は、実施例１でいう第２の電源
３１８に接続される。基板４０５上に形成される素子は、非晶質半導体に比べて移動度等
の特性が良好な結晶質半導体（ポリシリコン）により形成することが好適であり、そうす
ると、同一表面上におけるモノリシック化が実現される。上記構成を有するパネルは、接
続する外部ＩＣの個数が減少するため、小型・軽量・薄型化が実現される。
【００９８】
なお、表示領域４００は絶縁表面上に形成された非晶質半導体（アモルファスシリコン）
をチャネル部としたトランジスタにより構成し、ゲートドライバ４０１、４０２及びソー
スドライバ４０３はＩＣチップにより構成してもよい。ＩＣチップは、ＣＯＧ方式により
基板４０５上に貼り合わせたり、基板４０５に接続する接続フィルム４０７に貼り合わせ
たりしてもよい。非晶質半導体は、ＣＶＤ法を用いることで、大面積の基板に簡単に形成
することができ、かつ結晶化の工程が不要であることから、安価なパネルの提供を可能と
する。また、この際、インクジェット法に代表される液滴吐出法により導電層を形成する
と、より安価なパネルの提供を可能とする。
なお、接続フィルム４０７を設ける位置は上記構成に限定されず、例えば、図１３に示す
ように、透光性又は遮光性を有する絶縁膜上に形成しても良い。この際、接続フィルム４
０７と素子群４１０とは、接続配線２４及びソース／ドレイン配線１８を介して接続され
る。なお、本実施例は、上記実施の形態及び他の実施例と自由に組み合わせることができ
る。
【実施例３】
【００９９】
発光素子を含む画素領域を備えた表示装置を用いた電子機器として、テレビジョン装置（
テレビ、テレビジョン受信機）、デジタルカメラ、デジタルビデオカメラ、携帯電話装置
（携帯電話機）、ＰＤＡ等の携帯情報端末、携帯型ゲーム機、モニター、コンピュータ、
カーオーディオ等の音響再生装置、家庭用ゲーム機等の記録媒体を備えた画像再生装置等
が挙げられる。その具体例について、図８を参照して説明する。
【０１００】
図８（Ａ）に示す本発明の表示装置を用いた携帯情報端末は、本体９２０１、表示部９２
０２等を含み、本発明により高精細な画像を表示することができる。図８（Ｂ）に示す本
発明の表示装置を用いたデジタルビデオカメラは、表示部９７０１、９７０２等を含み、
本発明により高精細な画像を表示することができる。図８（Ｃ）に示す本発明の表示装置
を用いた携帯端末は、本体９１０１、表示部９１０２等を含み、本発明により高精細な画
像を表示することができる。図８（Ｄ）に示す本発明の表示装置を用いた携帯型のテレビ
ジョン装置は、本体９３０１、表示部９３０２等を含み、本発明により高精細な画像を表
示することができる。図８（Ｅ）に示す本発明の表示装置を用いた携帯型のコンピュータ
は、本体９４０１、表示部９４０２等を含み、本発明により高精細な画像を表示すること
ができる。図８（Ｆ）に示す本発明の表示装置を用いたテレビジョン装置は、本体９５０
１、表示部９５０２等を含み、本発明により高精細な画像を表示することができる。また
、遮光膜の配置により迷光による影響を抑制することができ、小型化、軽量化、薄型化が
実現される。なお、本実施例は、上記実施の形態及び他の実施例と自由に組み合わせるこ
とができる。
【実施例４】
【０１０１】
本発明の表示装置は、メモリや処理回路などの機能回路やアンテナコイルを搭載すること
で、非接触でデータの送受信が可能なＩＤカードとして用いることができる。そのような
ＩＤカードの構成の一例について図面を参照して説明する。
【０１０２】
図９（Ａ）に、本発明に係る表示装置を内蔵したＩＤカードの一形態を示す。図９（Ａ
）に示すＩＤカードは、非接触で端末装置のリーダ／ライタとデータの送受信を行う非接
触型である。１０１はカード本体であり、１０２はカード本体１０１に搭載されている表
示装置の画素部に相当する。
【０１０３】
図９（Ｂ）に、図９（Ａ）に示したカード本体１０１に含まれるカード基板１０３の構
成を示す。カード基板１０３には、薄膜の半導体膜で形成されたＩＤチップ１０４と、上
記実施の形態又は実施例に係る表示装置１０５とが貼り合わされている。ＩＤチップ１０
４と表示装置１０５は共に別途用意された基板上において形成された後、カード基板１０
３上に転写されたものである。転写方法としては、多数のＴＦＴからなる薄膜集積回路を
基板上に作製した後、該薄膜集積回路を基板から剥離し、小型真空ピンセット等を用いて
カード基板１０３に貼り付ける方法や、ＵＶ光照射法を用いてカード基板１０３に選択的
に貼り付ける方法などがある。また、表示装置における画素部や駆動回路部についても、
同様に行うことができる。ＩＤチップ１０４と表示装置１０５とを含む、薄膜の半導体膜
を用いて形成され、なおかつ形成後にカード基板に転写される部分を、薄膜部１０７と呼
ぶ。
【０１０４】
またカード基板１０３には、ＴＦＴを用いて作製された集積回路１０６が実装されてい
る。集積回路１０６の実装の仕方は、特に限定されるものではなく、公知のＣＯＧ方法や
ワイヤボンディング方法、或いはＴＡＢ方法などを用いることができる。集積回路１０６
は、薄膜部１０７と、カード基板１０３に形成された配線１０８を介して電気的に接続さ
れている。
【０１０５】
またカード基板１０３上には、集積回路１０６と電気的に接続されたアンテナコイル１
０９が形成されている。アンテナコイル１０９により、端末装置との間のデータの送受信
を、電磁誘導を用いて非接触で行うことができるので、非接触型のＩＤカードは接触型に
比べてＩＤカードが物理的な磨耗による損傷を受けにくい。さらに非接触型のＩＤカード
は、非接触にて情報の管理を行うタグ（無線タグ）としても用いることができる。非接触
型のＩＤカードは、同じく非接触で情報の読み取りができるバーコードに比べて、管理可
能な情報量が飛躍的に高い。また情報を読み取ることができる端末装置との間の距離を、
バーコードを用いた場合に比べて長くすることができる。
【０１０６】
なお図９（Ｂ）では、アンテナコイル１０９をカード基板１０３上に形成した例を示し
ているが、別途作製しておいたアンテナコイルをカード基板１０３に実装するようにして
も良い。例えば銅線などをコイル状に巻き、１００μｍ程度の厚さを有する２枚のプラス
チックフィルムの間に該銅線を挟んでプレスしたものを、アンテナコイルとして用いるこ
とができる。また、薄膜集積回路の中に、アンテナコイルを作りこんでおいても良い。ま
た、図９（Ｂ）では、１つのＩＤカードにアンテナコイル１０９が１つだけ用いられてい
るが、アンテナコイル１０９が複数用いられていても良い。
【０１０７】
なお、図９では表示装置１０５を搭載したＩＤカードの形態を示しており、表示装置１
０５を設けることで、顔写真のデータを表示装置において表示させることができ、印刷法
を用いた場合に比べて顔写真のすり替えを困難にすることができる。また顔写真以外の情
報を表示することができ、ＩＤカードの高機能化を実現することができる。
【０１０８】
なおカード基板１０３には、可撓性を有するプラスチック基板を用いることができる。
プラスチック基板としては、極性基のついたノルボルネン樹脂からなるＡＲＴＯＮ：ＪＳ
Ｒ製を用いることができる。また、ポリエチレンテレフタレート（ＰＥＴ）、ポリエーテ
ルスルホン（ＰＥＳ）、ポリエチレンナフタレート（ＰＥＮ）、ポリカーボネート（ＰＣ
）、ナイロン、ポリエーテルエーテルケトン（ＰＥＥＫ）、ポリスルホン（ＰＳＦ）、ポ
リエーテルイミド（ＰＥＩ）、ポリアリレート（ＰＡＲ）、ポリブチレンテレフタレート
（ＰＢＴ）、ポリイミドなどのプラスチック基板を用いることができる。
【０１０９】
なお、本実施例では、ＩＤチップと薄膜集積回路との間の電気的な接続は、図９におい
て示した形態に限定されない。例えば、カード基板上に形成された配線を介すのではなく
、ＩＤチップの端子と薄膜集積回路の端子とを異方性の導電性樹脂やハンダなどで直接接
続するようにしても良い。
【０１１０】
また図９において、薄膜集積回路と、カード基板に形成された配線との間の接続は、ワ
イヤボンディング法、ソルダーボールを用いたフリップチップ法で接続しても良いし、異
方性の導電性樹脂やハンダなどで直接接続しても良いし、その他の方法を用いて接続して
も良い。
【０１１１】
次に、非接触型のＩＤカードにおける、ＩＤチップと薄膜集積回路の機能的な構成の一
形態について説明する。図１０に、非接触型のＩＤカードのブロック図を示す。
【０１１２】
１２０は入力用アンテナコイルであり、１２１は出力用アンテナコイルである。また１
２２は入力用インターフェースであり、１２３は出力用インターフェースである。なお各
種アンテナコイルの数は、図１０に示した数に限定されない。入力用アンテナコイル１２
０によって、端末装置から入力された交流の電源電圧や各種信号は、入力用インターフェ
ース１２２において復調されたり直流化されたりした後、バス１２８を介して、ＣＰＵ１
１４、ＲＯＭ１１５、ＲＡＭ１１６、ＥＥＰＲＯＭ１１７、コプロセッサ１１８、コント
ローラ１１９などの各種回路に供給される。そして上記各種回路において処理または生成
された信号は、出力用インターフェース１２３において変調され、出力用アンテナコイル
１２１によって端末装置に送られる。
【０１１３】
ここで、入力用インターフェース１２２は、整流回路１２４と、復調回路１２５とが設
けられている。入力用アンテナコイル１２０から入力された交流の電源電圧は、整流回路
１２４において整流化され、直流の電源電圧として上記各種回路に供給される。また、入
力用アンテナコイル１２０から入力された交流の各種信号は、復調回路１２５において復
調される。そして復調されることで波形整形された各種信号は、各種回路に供給される。
【０１１４】
また、出力用インターフェース１２３は、変調回路１２６と、アンプ１２７とが設けら
れている。各種回路から出力用インターフェース１２３に入力された各種信号は、変調回
路１２６において変調され、アンプ１２７において増幅または緩衝増幅された後、出力用
アンテナコイル１２１から端末装置に送られる。なお、図１０に示す各種回路は一形態を
示したものに過ぎず、ＩＤカードに搭載される各種回路は上記回路に限定されない。
【０１１５】
図１０では、ＣＰＵ１１４によって、ＩＤカードの全ての処理が制御されており、ＲＯ
Ｍ１１５には、ＣＰＵ１１４において用いられる各種プログラムが記憶されている。コプ
ロセッサ１１８は、メインとなるＣＰＵ１１４の働きを助ける副プロセッサであり、ＲＡ
Ｍ１１６は端末装置との間の通信時のバッファとして機能する他、データ処理時の作業エ
リアとしても用いられる。そしてＥＥＰＲＯＭ１１７は、信号として入力されたデータを
定められたアドレスに記憶する。なお、顔写真などの画像データを、書き換え可能な状態
で記憶させるならばＥＥＰＲＯＭ１１７に記憶し、書き換えが不可能な状態で記憶させる
ならばＲＯＭ１１５に記憶する。また別途画像データの記憶用のメモリを用意しておいて
も良い。
【０１１６】
コントローラ１１９は、画像データを含む信号に表示装置１０５の仕様に合わせてデー
タ処理を施し、ビデオ信号として表示装置１０５に供給する。またコントローラ１１９は
、入力用インターフェース１２２から入力された電源電圧や各種信号をもとに、Ｈｓｙｎ
ｃ信号、Ｖｓｙｎｃ信号、クロック信号ＣＬＫ、交流電圧（ＡＣ  Ｃｏｎｔ）等を生成し
、表示装置１０５に供給する。
【０１１７】
表示装置１０５には、表示素子が各画素に設けられた画素部１０２と、前記画素部１０
２に設けられた画素を選択する走査線駆動回路１１２と、選択された画素にビデオ信号を
供給する信号線駆動回路１１３とが設けられている。
【０１１８】
なお、図１０では、非接触型のＩＤカードを形成する一例としてアンテナコイルを用い
た例を示したが、非接触型のＩＤカードはこれに限定されず、発光素子や光センサ等を用
いて光でデータの送受信を行うようにしても良い。
【０１１９】
図１０では、整流回路１２４、復調回路１２５、変調回路１２６などのアナログ回路を
含む入力用インターフェース１２２及び出力用インターフェース１２３を、集積回路１０
６に形成する。また、ＣＰＵ１１４、ＲＯＭ１１５、ＲＡＭ１１６、ＥＥＰＲＯＭ１１７
、コプロセッサ１１８、コントローラ１１９などの各種回路を、ＩＤチップ１０４で形成
したが、本構成は一例であり、この構成に限定されない。例えばＧＰＳなどの機能を有し
ていても良い。また、集積回路１０６は、従来のように、シリコンウエハ上に形成したが
、ＩＤチップ１０４と同様に、ＴＦＴを用いた薄膜集積回路としてもよい。
【０１２０】
なお図１０では、端末装置のリーダ／ライタから電源電圧が供給されている例について
示したが、これに限定されない。例えば、ＩＤカードに太陽電池や、リチウム電池等の超
薄型の電池を内蔵した構成としても良い。また、本実施例では、非接触型ＩＤカードを例
に挙げて説明したが、勿論、ＩＤカードに設けられた接続端子と端末装置のリードライタ
とを電気的に接続し、データの送受信を行う接触型のＩＤカードについても、本発明に係
る表示装置を搭載することは可能である。
【０１２１】
上記構成を有するＩＤカードは、運転免許証、身分証明証などに用いることができる。
また、印刷法によりＩＤカードに顔写真を転写していた場合、偽造により、比較的容易に
顔写真のすり替えを行うことができるが、本発明の場合は、顔写真のすり替えを容易に行
うことができない。従って、偽造を防止してセキュリティ性を確保し、また、顔写真以外
の画像を表示することができるために、高付加価値化、多機能化を実現する。なお、本実
施例は、上記実施の形態及び他の実施例と自由に組み合わせることができる。
【実施例５】
【０１２２】
本実施例では、図１１を参照して、上記実施の形態とは、異なる構成の表示装置について
説明する。まず、図１１（Ａ）に示す構成の表示装置は、基板１０上に設けられたトラン
ジスタ１１上に設けられた第１の絶縁膜１２と、第１の絶縁膜１２上に設けられた画素電
極１９と、画素電極１９に接して設けられた隔壁層２９と、画素電極１９及び隔壁層２９
に接して設けられた電界発光層２０と、電界発光層２０に接して設けられた対向電極２５
を有する。
【０１２３】
第１の絶縁膜及びトランジスタのゲート絶縁膜には、開口部が設けられ、ソース／ドレイ
ン配線１７、１８が形成される。これにより、トランジスタ１１と、画素電極１９とが接
続される。ソース／ドレイン配線１７、１８は、アルミニウム及び炭素を含む合金を用い
るのが望ましい。また、この合金に、ニッケル、コバルト、鉄、珪素等を含有させても良
い。これらの含有率は、例えば、炭素を０．１〜３．０原子％、ニッケル、コバルト、鉄
のうち少なくとも一種以上の元素を０．５〜７．０原子％、珪素を０．５〜２．０原子％
とするのがよい。さらに、ソース／ドレイン配線１８に接して、画素電極１９が設けられ
ている。
【０１２４】
第１の絶縁膜は、ここでは窒化珪素、酸化珪素、窒化酸化珪素、酸化窒化珪素等を２層に
積層させたものを用いたが、この構成に限定されるものではない。また、第１の絶縁膜は
、省略することも可能である。
【０１２５】
隔壁層２９としては、ここでは遮光性を有する膜を用いる。隔壁層２９に用いる遮光性を
有する膜としては、アクリル、ポリイミド、シロキサン等の有機材料に、カーボンや、遮
光性を有する金属の粒子を添加したものを用いることができる。勿論、隔壁層２９の上下
に、透光性を有する隔壁層を追加しても良い。その他の構成要素に用いられる材料は、上
記実施の形態で述べたものを適宜採用することができる。特に、対向電極２５としては、
発光層からの光を透過させるべく、１〜１０ｎｍのアルミニウム薄膜、もしくはＬｉを微
量に含むアルミニウム膜等を用いることによって、図示するように、デュアルエミッショ
ン型表示装置が得られる。勿論、対向電極２５の材質を変えることにより、ボトムエミッ
ション型とすることもできる。
【０１２６】
次に、図１１（Ｂ）に示す構成の表示装置は、基板１０上に設けられたトランジスタ１１
と、トランジスタ１１上に設けられた遮光性を有する絶縁膜３１と、遮光性を有する絶縁
膜３１に設けられた開口部と、該開口部の内側に設けられた発光素子２２を有する。
【０１２７】
本構成においては、トランジスタ１１上に無機材料からなる絶縁膜（バリア膜）を省略し
た構成とした。勿論、該バリア膜を形成しても良い。また、第１の絶縁膜及びトランジス
タのゲート絶縁膜には、開口部が設けられ、ソース／ドレイン配線１７、１８が形成され
る。これにより、トランジスタ１１と、画素電極１９とが接続される。ソース／ドレイン
配線１７、１８は、アルミニウム及び炭素を含む合金を用いるのが望ましい。また、この
合金に、ニッケル、コバルト、鉄、珪素等を含有させても良い。これらの含有率は、例え
ば、炭素を０．１〜３．０原子％、ニッケル、コバルト、鉄のうち少なくとも一種以上の
元素を０．５〜７．０原子％、珪素を０．５〜２．０原子％とするのがよい。
【０１２８】
遮光性を有する絶縁膜３１としては、アクリル、ポリイミド、シロキサン等の有機材料に
、カーボンや、遮光性を有する金属の粒子を添加したものを用いることができる。絶縁膜
３１は光が透過できるように開孔部が設けられており、図示する構成では、画素電極１９
がゲート絶縁膜の露出された部分（ゲート絶縁膜が遮光性を有する絶縁膜３１に覆われて
いない部分）を覆うように形成されている。さらに、画素電極上に、隔壁層２９、３０が
形成されている。図示する構成では、隔壁層２９が遮光性を有しており、隔壁層３０は透
明であるが、この構成に限定されない。さらに、両隔壁層に設けられた開孔部に、電界発
光層２０及び対向電極２５が形成されることにより、発光素子２２が形成される。
【０１２９】
対向電極２５としては、発光層からの光を透過させるべく、１〜１０ｎｍのアルミニウム
薄膜、もしくはＬｉを微量に含むアルミニウム膜等を用いることによって、図示するよう
に、デュアルエミッション型表示装置が得られる。勿論、対向電極２５の材質を変えるこ
とにより、ボトムエミッション型とすることもできる。
【０１３０】
上述した図１１（Ａ）、（Ｂ）の構成に係る表示装置は、画素電極１９の下部に、遮光性
を有する絶縁膜又は透光性を有する絶縁膜を設ける必要がなく、工程を簡略化できる。一
方、少なくとも遮光性を有する膜を含む隔壁層２９を用いることにより、上面出射に関し
ては、迷光により画素間の輪郭がぼやけたりする影響を抑制することができる。つまり、
遮光性を有する絶縁膜が迷光を吸収するために、画素間の輪郭が明瞭なものとなり、高精
細な画像を表示することができる。また、遮光膜の配置により迷光による影響を抑制する
ことができ、小型化、軽量化、薄型化が実現される。なお、本実施例は、上記実施の形態
及び他の実施例と自由に組み合わせることができる。
【実施例６】
【０１３１】
本実施例では、図１２を参照して、各画素部にカラーフィルタを設けた場合の構成につい
て説明する。まず、図１２（Ａ）は、ボトムエミッション型表示装置において、基板１０
上にＲ、Ｇ、Ｂのカラーフィルタ９０〜９２をそれぞれ設け、さらにアクリル等の有機樹
脂層９５で平坦化し、その上にトランジスタ１１、発光素子２２等を形成していく。カラ
ーフィルタ９０〜９２は、公知の材料、公知の方法によって作成することができる。
【０１３２】
また、図１２（Ｂ）は、デュアルエミッション型表示装置において、基板１０上にトラン
ジスタ１１を形成し、さらに、遮光性を有する絶縁膜３１を形成し、発光層からの光を通
過させるための開口部を設けた後、該開口部に、赤、緑、青色の顔料を含み、かつ透光性
を有する樹脂を形成することにより、カラーフィルタ９３〜９５を形成する。この顔料を
含んだ樹脂は、液滴吐出法を用いて選択的に形成するのが望ましい。さらに、対向基板４
０６には、図１２（Ａ）と同様に、Ｒ、Ｇ、Ｂのカラーフィルタ９０〜９２をそれぞれ設
け、アクリル等の有機樹脂層９５を介してトランジスタ１１や発光素子２２等が形成され
た基板１０と貼り合わせる。
【０１３３】
なお、図１２（Ａ）の構成においても、図１２（Ｂ）と同様に、遮光性を有する絶縁膜３
１の開口部に、顔料を含む透光性樹脂を形成することにより、カラーフィルタを形成して
もよい。
【０１３４】
通常、カラーフィルタを形成する場合には、その周囲にブラックマトリクス（Ｒ、Ｇ、Ｂ
の各画素を光学的に分離するための格子状又はストライプ状の遮光膜）を設ける。しかし
、上述した図１２（Ａ）、（Ｂ）の構成に係る発明では、当該ブラックマトリクスを設け
るべき箇所に対応して、遮光性を有する絶縁膜３１が形成されている。したがって、本発
明はブラックマトリクスを別途形成する際に用いるマスクずれを考慮する必要がないため
、歩留まりが向上し、また、余分な工程を追加する必要がないためコスト削減につながる
。なお、本実施例は、上記実施の形態及び他の実施例と自由に組み合わせることができる
。
【実施例７】
【０１３５】
本実施例では、図１４を参照して、ソース／ドレイン配線１７、１８（接続配線２４含む
。以下、本実施例において「配線」という。）及び画素電極１９の積層構造について説明
する。図１４の各図は、画素領域の発光素子の半分のみ抽出して示したものである。
【０１３６】
図１４（Ａ）は、配線としてＭｏ６００、アルミ系合金６０１の積層構造とし、画素電極
１９としてＩＴＯ６０２とした場合を示している。アルミ系合金６０１としては、アルミ
ニウムに、炭素、ニッケル、コバルト、鉄、珪素等を含有させたものが望ましい。これら
の含有率は、例えば、炭素を０．１〜３．０原子％、ニッケル、コバルト、鉄のうち少な
くとも一種以上の元素を０．５〜７．０原子％、珪素を０．５〜２．０原子％とするのが
よい。この材料は、抵抗値が３．０〜５．０Ωｃｍと低いのが、特徴の一つである。なお
、ここでＭｏ６００は、バリアメタルとして機能する。
【０１３７】
このように、アルミ系合金６０１にニッケル、コバルト、鉄のうち少なくとも一種以上の
元素を０．５％以上含有させた場合には、ＩＴＯ６０２の電極電位に近づけることができ
、ＩＴＯ６０２とのダイレクトコンタクトが可能になる。また、アルミ系合金６０１の耐
熱性も向上する。また、炭素の含有量を０．１％以上とすることにより、ヒロックの発生
を抑制することができる。また、珪素を含有させた場合にも、高温で加熱処理した際でも
、ヒロックが発生しにくくなるというメリットがある。
【０１３８】
図１４（Ｂ）は、配線としてアルミ系合金６０３を用い、画素電極１９としてＩＴＯ６０
２を用いる場合を示している。ここでは、アルミ系合金６０３は、少なくともニッケルを
含む構成とする。このアルミ系合金６０３を形成した後、該合金に含まれるニッケルがし
み出してきて、トランジスタ１１のシリコン半導体層のＳｉと化学反応することにより、
ニッケルシリサイド６０７が形成され、接合性が向上するというメリットがある。
【０１３９】
図１４（Ｃ）は、配線としてアルミ系合金６０４を、画素電極１９としてＩＴＯ６０５を
積層させた場合を示している。特に、両者の組合せの積層構造を採用した場合、平坦性が
著しく向上することが実験的に判った。例えば、基板側からＡｌ−Ｓｉ合金、窒化チタン
からなる配線、ＩＴＯを順に積層する構造、またはＡｌ−Ｓｉ合金、窒化チタンからなる
配線、ＩＴＳＯを順に積層する構造の場合と比較すると、その平坦性は約２倍の良好さを
示した。
【０１４０】
図１４（Ｄ）は、配線として、また画素電極として、ともにアルミ系合金６０４、６０６
を用いた場合を示している。
【０１４１】
上記アルミ系合金は、ウエットエッチングによって簡単にパターニング形成ができること
から、その用途は、配線、画素電極を問わず幅広く利用できる。ただし、上記アルミ系合
金は、反射性に優れているため、ボトムエミッション型又はデュアルエミッション型表示
装置とする場合には、配線又は画素電極を光が透過できるように、薄膜として形成する必
要がある。なお、本実施例は、上記実施の形態及び他の実施例と自由に組み合わせること
ができる。
【産業上の利用可能性】
【０１４２】
本発明に係るボトムエミッション型、トップエミッション型、及びデュアルエミッショ
ン型表示装置は、遮光性を有する絶縁膜が設けられていることにより、迷光により、１画
素に相当する発光領域の輪郭がぼやけたりする影響を抑制することができる。つまり、遮
光性を有する絶縁膜が迷光を吸収するために、１画素に相当する発光領域の輪郭が明瞭な
ものとなり、高精細な画像を表示することができる。また、遮光膜の配置により迷光によ
る影響を抑制することができるため、小型化、軽量化、薄型化が実現される。また、この
ような優れた作用効果を有する本発明に係る表示装置は、テレビジョン装置（テレビ、テ
レビジョン受信機）、デジタルカメラ、デジタルビデオカメラ、携帯電話装置（携帯電話
機）、ＰＤＡ等の携帯情報端末、携帯型ゲーム機、モニター、コンピュータ、カーオーデ
ィオ等の音響再生装置、家庭用ゲーム機等の記録媒体を備えた画像再生装置等のあらゆる
電子機器、さらには、ＩＤカードのようなユビキタスネットワークを構築するに欠かせな
いツールにまで搭載することができ、その利用範囲、利用価値は、少なくないものと信ず
る。
【符号の説明】
【０１４３】
１０  基板
１１  トランジスタ
１２  第１の絶縁膜
１３  第２の絶縁膜
１４  第３の絶縁膜
１５  ソース／ドレイン領域
１６  ソース／ドレイン領域
１７  ソース／ドレイン配線
１８  ソース／ドレイン配線
１９  画素電極
２０  電界発光層
２１  対向電極
２２  発光素子
２７  下地絶縁膜
２８  ゲート絶縁膜
３１  遮光性を有する絶縁膜
３１０  画素
３１１  トランジスタ
３１２  トランジスタ
３１３  発光素子
３１６  容量素子
３１７  第１の電源
３１８  第２の電源
３１９  画素電極
３２０  基板
３３２  隔壁層
３３７  幅
３３８  幅
３４０  トランジスタ
３４１  トランジスタ
３４２  トランジスタ
３４３  電源
４００  表示領域
４０１  ゲートドライバ
４０２  ゲートドライバ
４０３  ソースドライバ
４０５  基板
４０６  対向基板
４０７  接続フィルム
４０８  シール材
４１０  素子群
４１２  トランジスタ
４１３  発光素子
４１４  容量素子
【図１】
2014026290.tif 000003
【図２】
2014026290.tif 000004
【図３】
2014026290.tif 000005
【図４】
2014026290.tif 000006
【図５】
2014026290.tif 000007
【図６】
2014026290.tif 000008
【図７】
2014026290.tif 000009
【図８】
2014026290.tif 000010
【図９】
2014026290.tif 000011
【図１０】
2014026290.tif 000012
【図１１】
2014026290.tif 000013
【図１２】
2014026290.tif 000014
【図１３】
2014026290.tif 000015
【図１４】
2014026290.tif 000016